(57)【要約】【課題】校正用紙の読み取りに起因して通常の画像が形成された用紙の搬送速度が低下するのを防止する用紙搬送装置を提供する。【解決手段】用紙搬送装置５０は、画像形成装置１から供給される用紙が排紙トレイ８１へ搬送される搬送路５１と、画像形成装置１の画質調整のために画像形成装置１から供給される校正用紙が搬送される搬送路５２と、搬送路５２に設けられ、校正用紙を読み取る読取部とを備える。【選択図】図１
2012198367.tif 000002
【特許請求の範囲】
【請求項１】
画像形成装置から供給される用紙が排紙トレイへ搬送される第１搬送路を備える用紙搬送装置であって、
前記画像形成装置の画質調整のために前記画像形成装置から供給される校正用紙が搬送される第２搬送路と、
前記第２搬送路に設けられ、校正用紙を読み取る読取部とを備えること
を特徴とする用紙搬送装置。
【請求項２】
請求項１に記載の用紙搬送装置であって、
前記第２搬送路は、前記第１搬送路から分岐していること
を特徴とする用紙搬送装置。
【請求項３】
請求項１または請求項２に記載の用紙搬送装置であって、
前記画像形成装置から供給される校正用紙を前記第２搬送路へ導くゲート部材を備えること
を特徴とする用紙搬送装置。
【請求項４】
請求項１から請求項３までのいずれか一つに記載の用紙搬送装置であって、
前記第１搬送路に設けられた第１搬送ローラを駆動する第１駆動部と、
前記第２搬送路に設けられた第２搬送ローラを駆動する第２駆動部とを備えること
を特徴とする用紙搬送装置。
【請求項５】
請求項１から請求項４までのいずれか一つに記載の用紙搬送装置であって、
前記第２搬送路を搬送される校正用紙の搬送速度が、前記第１搬送路を搬送される用紙の搬送速度よりも遅い構成とされていること
を特徴とする用紙搬送装置。
【請求項６】
請求項１から請求項５までのいずれか一つに記載の用紙搬送装置であって、
前記読取部は、前記第２搬送路の搬送方向と直交する方向に沿って移動する構成とされていること
を特徴とする用紙搬送装置。
【請求項７】
請求項１から請求項６までのいずれか一つに記載の用紙搬送装置であって、
前記読取部により読み取られた読取結果を前記画像形成装置に送信する送信部を備えること
を特徴とする用紙搬送装置。
【請求項８】
請求項１から請求項７までのいずれか一つに記載の用紙搬送装置であって、
前記第２搬送路における前記読取部の上流側に設けられ、前記画像形成装置から供給される校正用紙のカールを矯正する第１カール矯正部を備えること
を特徴とする用紙搬送装置。
【請求項９】
請求項１から請求項８までのいずれか一つに記載の用紙搬送装置であって、
前記第１搬送路に設けられ、前記画像形成装置から供給される用紙のカールを矯正する第２カール矯正部を備えること
を特徴とする用紙搬送装置。
【請求項１０】
請求項１から請求項９までのいずれか一つに記載の用紙搬送装置であって、
前記読取部により読み取られた校正用紙が収納されるスタッカを備えること
を特徴とする用紙搬送装置。
【請求項１１】
請求項１０に記載の用紙搬送装置であって、
前記スタッカが取り付けられる筐体を備え、
前記スタッカは、前記筐体から取り外せる構成とされていること
を特徴とする用紙搬送装置。
【請求項１２】
用紙に画像を形成する画像形成装置と、
請求項１から請求項１１までのいずれか一つに記載の用紙搬送装置とを備えること
を特徴とする画像形成システム。
【請求項１３】
請求項１２に記載の画像形成システムであって、
前記画像形成装置は、用紙にテストパターンを形成することにより校正用紙を形成して前記用紙搬送装置に供給し、前記用紙搬送装置の読取部により読み取られた読取結果に基づいて画像形成時の出力を校正する構成とされていること
を特徴とする画像形成システム。
【発明の詳細な説明】
【技術分野】
【０００１】
本発明は、用紙搬送装置および画像形成システムに関する。
【背景技術】
【０００２】
従来、画像形成時の出力の校正（キャリブレーション）機能を備える画像形成システムが知られている（たとえば、特許文献１参照）。
【０００３】
特許文献１には、印刷を行う印刷ユニットと、印刷ユニットから用紙が供給される排紙ユニットとを備えた印刷装置が開示されている。排紙ユニットには、排紙トレイと、印刷結果を読み取るための読取装置とが設けられている。読取装置は、印刷ユニットから排紙トレイへ用紙が搬送される搬送路上に設けられている。
【０００４】
この印刷装置では、キャリブレーション時に、印刷ユニットにより検査チャートが印刷される。そして、印刷装置では、読取装置により検査チャートが読み取られ、その読取結果に基づいて印刷出力が制御される。
【先行技術文献】
【特許文献】
【０００５】
【特許文献１】特開２００７−１３７０１３号公報
【発明の概要】
【発明が解決しようとする課題】
【０００６】
しかしながら、特許文献１に開示された従来の印刷装置では、排紙トレイへ用紙が搬送される搬送路上に読取装置が設けられており、キャリブレーション時に読取装置による検査チャートの読み取りが行われることから、通常の画像が印刷された用紙の搬送が滞るという問題点がある。
【０００７】
本発明は、上記の課題を解決するためになされたものであり、校正用紙の読み取りに起因して通常の画像が形成された用紙の搬送速度が低下するのを防止する用紙搬送装置および画像形成システムを提供することを目的とする。
【課題を解決するための手段】
【０００８】
本発明に係る用紙搬送装置は、画像形成装置から供給される用紙が排紙トレイへ搬送される第１搬送路を備える用紙搬送装置であって、前記画像形成装置の画質調整のために前記画像形成装置から供給される校正用紙が搬送される第２搬送路と、前記第２搬送路に設けられ、校正用紙を読み取る読取部とを備えることを特徴とする。
【０００９】
この構成によって、第２搬送路に設けられた読取部により校正用紙を読み取りながら、第１搬送路において画像形成装置から供給される用紙を排紙トレイへ搬送することができる。すなわち、校正用紙の読み取りと通常の画像が形成された用紙の搬送とを並行して行うことができるので、読取部を第１搬送路に設ける場合と異なり、校正用紙の読み取りに起因して通常の画像が形成された用紙の搬送速度が低下するのを防止することができる。
【００１０】
本発明に係る用紙搬送装置では、前記第２搬送路は、前記第１搬送路から分岐していることを特徴とする。
【００１１】
この構成により、画像形成装置から供給される校正用紙を第１搬送路を介して第２搬送路へ搬送することができる。
【００１２】
本発明に係る用紙搬送装置では、前記画像形成装置から供給される校正用紙を前記第２搬送路へ導くゲート部材を備えることを特徴とする。
【００１３】
この構成により、画像形成装置から供給される校正用紙を容易に第２搬送路へ搬送することができる。
【００１４】
本発明に係る用紙搬送装置では、前記第１搬送路に設けられた第１搬送ローラを駆動する第１駆動部と、前記第２搬送路に設けられた第２搬送ローラを駆動する第２駆動部とを備えることを特徴とする。
【００１５】
この構成により、第２搬送ローラにより第２搬送路を搬送される校正用紙の搬送速度を、第１搬送ローラにより第１搬送路を搬送される用紙の搬送速度よりも遅くすることが容易にできる。
【００１６】
本発明に係る用紙搬送装置では、前記第２搬送路を搬送される校正用紙の搬送速度が、前記第１搬送路を搬送される用紙の搬送速度よりも遅い構成とされていることを特徴とする。
【００１７】
この構成により、読取部により読み取りが行われる読取位置への搬送をしやすくすることができる。
【００１８】
本発明に係る用紙搬送装置では、前記読取部は、前記第２搬送路の搬送方向と直交する方向に沿って移動する構成とされていることを特徴とする。
【００１９】
この構成により、直線状ではなく平面的に校正用紙のテストパターンが形成されている場合にも、読取部により校正用紙のテストパターンを読み取ることができる。
【００２０】
本発明に係る用紙搬送装置では、前記読取部により読み取られた読取結果を前記画像形成装置に送信する送信部を備えることを特徴とする。
【００２１】
この構成により、読取結果を画像形成装置に容易に伝えることができる。
【００２２】
本発明に係る用紙搬送装置では、前記第２搬送路における前記読取部の上流側に設けられ、前記画像形成装置から供給される校正用紙のカールを矯正する第１カール矯正部を備えることを特徴とする。
【００２３】
この構成により、第１カール矯正部によりカールが矯正された校正用紙を読取部が読み取ることができるので、読取部の読取精度が低下するのを抑制することができる。
【００２４】
本発明に係る用紙搬送装置では、前記第１搬送路に設けられ、前記画像形成装置から供給される用紙のカールを矯正する第２カール矯正部を備えることを特徴とする。
【００２５】
この構成により、第２カール矯正部によりカールが矯正された用紙を排紙トレイに排出することができる。
【００２６】
本発明に係る用紙搬送装置では、前記読取部により読み取られた校正用紙が収納されるスタッカを備えることを特徴とする。
【００２７】
この構成により、校正用紙が排紙トレイに排出されるのを防止することができる。
【００２８】
本発明に係る用紙搬送装置では、前記スタッカが取り付けられる筐体を備え、前記スタッカは、前記筐体から取り外せる構成とされていることを特徴とする。
【００２９】
この構成により、スタッカに収納された校正用紙を廃棄することが容易にできる。
【００３０】
本発明に係る画像形成システムは、用紙に画像を形成する画像形成装置と、上記のいずれか一つに記載の用紙搬送装置とを備えることを特徴とする。
【００３１】
この構成によって、校正用紙の読み取りに起因して通常の画像が形成された用紙の搬送速度が低下するのを防止することが可能な画像形成システムを得ることができる。
【００３２】
本発明に係る画像形成システムでは、前記画像形成装置は、用紙にテストパターンを形成することにより校正用紙を形成して前記用紙搬送装置に供給し、前記用紙搬送装置の読取部により読み取られた読取結果に基づいて画像形成時の出力を校正する構成とされていることを特徴とする。
【００３３】
この構成により、画像形成装置の画像形成時の出力を容易に校正することができる。
【発明の効果】
【００３４】
本発明に係る用紙搬送装置および画像形成システムによれば、校正用紙の読み取りに起因して通常の画像が形成された用紙の搬送速度が低下するのを防止することができる。
【図面の簡単な説明】
【００３５】
【図１】本発明の実施の形態１に係る用紙搬送装置を備える画像形成システムの概略を示した正面図である。
【図２】図１に示した画像形成システムの画像形成装置の概略を示した正面図である。
【図３】図２に示した画像形成装置により形成された校正用紙の一例を示した図である。
【図４】図１に示した画像形成システムの用紙搬送装置を示した斜視図である。
【図５】図４に示した用紙搬送装置を示した側面図である。
【図６】図４に示した用紙搬送装置を示した断面図である。
【図７】図４に示した用紙搬送装置を示したブロック図である。
【図８】本発明の実施の形態２に係る用紙搬送装置を備える画像形成システムの概略を示した正面図である。
【発明を実施するための形態】
【００３６】
以下、本発明の実施の形態について図面を参照して説明する。
【００３７】
＜実施の形態１＞
図１は、本発明の実施の形態１に係る用紙搬送装置を備える画像形成システムの概略を示した正面図である。図１を参照して、実施の形態１に係る画像形成システム１００の構成について説明する。
【００３８】
画像形成システム１００は、画像形成装置１と、用紙搬送装置５０と、用紙搬送装置７０と、排紙ユニット８０とを備えている。
【００３９】
画像形成装置１は、用紙に画像を形成し、画像が形成された用紙を用紙搬送装置５０に供給するように構成されている。具体的には、画像形成装置１は、用紙に通常の画像を形成して通常の画像が形成された用紙（以下、「通常の用紙」という）を用紙搬送装置５０に供給し、用紙にテストパターン（検査チャート）４１（図３参照）を形成してテストパターン４１が形成された用紙（以下、「校正用紙４０（図３参照）」という）を用紙搬送装置５０に供給する。なお、通常の画像とは、たとえば、後述する画像読取装置２により読み取られた画像である。また、校正用紙とは、画像形成装置１の画質調整のための用紙である。また、画像形成装置１については、後で詳細に説明する。
【００４０】
用紙搬送装置５０は、画像形成装置１の画像形成時の出力の校正（キャリブレーション）用ユニットである。用紙搬送装置５０は、画像形成装置１から供給される通常の用紙が用紙搬送装置７０へ搬送される搬送路５１と、搬送路５１から分岐する搬送路５２と、画像形成装置１から供給される校正用紙４０を搬送路５２へ導くゲート部材５３と、搬送路５２に設けられたデカーラー５４と、校正用紙４０を読み取る読取装置５５と、校正用紙４０が収納されるスタッカ５６と、筐体５７とを含んでいる。なお、実施の形態１において、搬送路５１は本発明の「第１搬送路」に対応し、搬送路５２は本発明の「第２搬送路」に対応し、デカーラー５４は本発明の「第１カール矯正部」に対応する。
【００４１】
搬送路５１には、上流側の端部に搬送ローラ５８ａが設けられ、下流側の端部に搬送ローラ５８ｂが設けられている。筐体５７には、搬送ローラ５８ａの近傍に画像形成装置１から用紙が挿入される挿入口（図示省略）が形成され、搬送ローラ５８ｂの近傍に用紙搬送装置７０へ用紙が排出される排出口（図示省略）が形成されている。なお、実施の形態１における搬送ローラ５８ａおよび搬送ローラ５８ｂは、本発明の「第１搬送ローラ」に対応する。
【００４２】
搬送路５２を搬送される校正用紙４０の搬送速度は、搬送路５１を搬送される通常の用紙の搬送速度よりも遅くなるように構成されている。具体的には、校正用紙４０の後端が搬送ローラ５８ａを抜けた後に校正用紙４０が減速される。なお、用紙搬送装置５０については、後で詳細に説明する。
【００４３】
用紙搬送装置７０は、通常の用紙のカール矯正用のユニットである。用紙搬送装置７０は、用紙搬送装置５０から供給される通常の用紙を排紙ユニット８０へ搬送する搬送ローラ７１と、搬送ローラ７１により搬送される通常の用紙のカールを矯正するデカーラー７２とを含んでいる。
【００４４】
排紙ユニット８０は、通常の用紙が排出される排紙トレイ８１と、用紙搬送装置７０から供給される通常の用紙を排紙トレイ８１へ搬送する搬送ローラ８２とを含んでいる。排紙トレイ８１は複数設けられており、ゲート部材８３により通常の用紙が排出される排紙トレイ８１が切り替えられている。
【００４５】
次に、実施の形態１に係る画像形成システム１００の動作について説明する。
【００４６】
まず、通常の画像形成が行われる場合には、画像形成装置１により用紙に通常の画像が形成される。そして、通常の用紙が画像形成装置１から用紙搬送装置５０に供給される。用紙搬送装置５０に供給された通常の用紙は、搬送路５１を搬送され、用紙搬送装置７０に供給される。
【００４７】
そして、用紙搬送装置７０に供給された通常の用紙は、デカーラー７２によりカールが矯正され、排紙ユニット８０に供給される。その後、通常の用紙が排紙トレイ８１に排出される。
【００４８】
また、画像形成時の出力の校正が行われる場合には、画像形成装置１により用紙にテストパターン４１が形成される。そして、校正用紙４０が画像形成装置１から用紙搬送装置５０に供給される。用紙搬送装置５０に供給された校正用紙４０は、ゲート部材５３により搬送路５２へ導かれる。
【００４９】
そして、搬送路５２を搬送される校正用紙４０は、デカーラー５４によりカールが矯正され、読取装置５５により読み取られる。読取装置５５により読み取られた校正用紙４０は、スタッカ５６に収納される。その後、用紙搬送装置５０から画像形成装置１に読取結果が送信され、画像形成装置１が読取結果に基づいて画像形成時の出力の校正を行う。
【００５０】
実施の形態１では、上記のように、画像形成システム１００に用紙搬送装置５０を設けることによって、画像形成装置１の画像形成時の出力を容易に校正することができる。また、高価な読取装置５５を有する用紙搬送装置５０をユニット化することにより、読取装置を画像形成装置に組み込む場合に比べて、画像形成装置１を安価にすることができるので、利用者の要求に応じたシステムを構成することができる。
【００５１】
図２は、図１に示した画像形成システムの画像形成装置の概略を示した正面図である。図３は、図２に示した画像形成装置により形成された校正用紙の一例を示した図である。図２および図３を参照して、実施の形態１に係る画像形成システム１００の画像形成装置１について説明する。
【００５２】
画像形成装置１は、たとえば、スキャナ機能、ファクシミリ機能、およびプリンタ機能を有する複合機である。画像形成装置１は、原稿の画像を読み取る画像読取装置２と、画像読取装置２により読み取られた画像データに基づいて画像を形成する画像形成部３とを備えている。
【００５３】
画像形成部３は、感光体ドラム４ａ〜感光体ドラム４ｄと、帯電器５ａ〜帯電器５ｄと、露光装置６と、現像装置７ａ〜現像装置７ｄと、クリーナ装置８ａ〜クリーナ装置８ｄと、中間転写ローラ９ａ〜中間転写ローラ９ｄを有する中間転写ベルト装置９と、２次転写装置１０と、定着装置１１と、給紙トレイ１２ａおよび手差し給紙トレイ１２ｂと、排紙トレイ１３と、シート搬送装置１４と、中継搬送ユニット１５とを含んでいる。
【００５４】
画像形成部３は、ブラック（Ｋ）、シアン（Ｃ）、マゼンタ（Ｍ）、イエロー（Ｙ）の各色を用いたカラー画像と、単色（たとえば、ブラック）を用いたモノクロ画像とを形成可能に構成されている。
【００５５】
具体的には、ブラックを形成する画像ステーションが、感光体ドラム４ａと、帯電器５ａと、現像装置７ａと、クリーナ装置８ａと、中間転写ローラ９ａとにより構成されている。また、シアンを形成する画像ステーションが、感光体ドラム４ｂと、帯電器５ｂと、現像装置７ｂと、クリーナ装置８ｂと、中間転写ローラ９ｂとにより構成されている。
【００５６】
また、マゼンタを形成する画像ステーションが、感光体ドラム４ｃと、帯電器５ｃと、現像装置７ｃと、クリーナ装置８ｃと、中間転写ローラ９ｃとにより構成されている。また、イエローを形成する画像ステーションが、感光体ドラム４ｄと、帯電器５ｄと、現像装置７ｄと、クリーナ装置８ｄと、中間転写ローラ９ｄとにより構成されている。
【００５７】
感光体ドラム４ａ〜感光体ドラム４ｄは、表面に光感光層を有する。帯電器５ａ〜帯電器５ｄは、感光体ドラム４ａ〜感光体ドラム４ｄの表面を所定の電位に均一に帯電させるために設けられている。帯電器５ａ〜帯電器５ｄは、接触型であるローラ型やブラシ型の帯電器であってもよいし、チャージャー型の帯電器であってもよい。
【００５８】
露光装置６は、たとえば、レーザダイオードおよび反射ミラーを有するレーザスキャニングユニット（ＬＳＵ）であり、帯電された感光体ドラム４ａ〜感光体ドラム４ｄの表面を画像データに応じて露光して、その表面に画像データに応じた静電潜像を形成する。
【００５９】
現像装置７ａ〜現像装置７ｄは、感光体ドラム４ａ〜感光体ドラム４ｄ上に形成された静電潜像をＫ、Ｃ、Ｍ、Ｙのトナーにより現像する。クリーナ装置８ａ〜クリーナ装置８ｄは、現像および画像転写後に感光体ドラム４ａ〜感光体ドラム４ｄの表面に残留したトナーを除去および回収する。
【００６０】
中間転写ベルト装置９は、感光体ドラム４ａ〜感光体ドラム４ｄの上方に配置されており、中間転写ベルト９ｅと、中間転写ベルト駆動ローラ９ｆと、従動ローラ９ｇと、テンションローラ９ｈと、中間転写ベルトクリーニング装置９ｉとを含んでいる。
【００６１】
中間転写ベルト９ｅは、厚さ１００μｍ〜１５０μｍ程度のフィルムを用いて無端ベルト状に形成されている。中間転写ローラ９ａ〜中間転写ローラ９ｄ、中間転写ベルト駆動ローラ９ｆ、従動ローラ９ｇ、およびテンションローラ９ｈは、中間転写ベルト９ｅを張架して支持し、中間転写ベルト９ｅを周回方向Ｃに移動させる。
【００６２】
中間転写ローラ９ａ〜中間転写ローラ９ｄは、中間転写ベルト９ｅの内側に回転可能に支持され、中間転写ベルト９ｅを介して感光体ドラム４ａ〜感光体ドラム４ｄに圧接されている。
【００６３】
中間転写ベルト９ｅは、感光体ドラム４ａ〜感光体ドラム４ｄに接触するように設けられている。中間転写ベルト９ｅには、感光体ドラム４ａ〜感光体ドラム４ｄの表面のトナー像が順次重ねて転写されることにより、カラーのトナー像（各色のトナー像）が形成される。
【００６４】
感光体ドラム４ａ〜感光体ドラム４ｄから中間転写ベルト９ｅへのトナー像の転写は、中間転写ベルト９ｅの内側（裏面）に圧接されている中間転写ローラ９ａ〜中間転写ローラ９ｄによって行われる。中間転写ローラ９ａ〜中間転写ローラ９ｄは、たとえば、直径８〜１０ｍｍのステンレスなどの金属軸と、金属軸を覆う導電性の弾性材（たとえば、ＥＰＤＭ、発泡ウレタン等）とを有する。中間転写ローラ９ａ〜中間転写ローラ９ｄには、トナー像を転写するために高電圧の転写バイアス（トナーの帯電極性（一）とは逆極性（＋）の高電圧）が印加されており、その導電性の弾性材により高電圧が中間転写ベルト９ｅに対して均一に印加される。
【００６５】
２次転写装置１０は、中間転写ベルト９ｅと接触する転写ローラ１０ａを有する。転写ローラ１０ａは、中間転写ベルト駆動ローラ９ｆと隣接するように、中間転写ベルト９ｅの外側に配置されている。中間転写ベルト９ｅと転写ローラ１０ａとは、相互に圧接されてニップ域を形成する。また、２次転写装置１０の転写ローラ１０ａには、中間転写ベルト９ｅ上の各色のトナー像を用紙に転写させるための電圧（たとえば、トナーの帯電極性（一）とは逆極性（＋）の高電圧）が印加される。さらに、そのニップ域を定常的に得るために、転写ローラ１０ａおよび中間転写ベルト駆動ローラ９ｆのいずれか一方を硬質材料（金属製ローラ等）とし、他方を軟質材料（弾性ゴムローラや発泡性樹脂ローラ等）としている。
【００６６】
上述のように、感光体ドラム４ａ〜感光体ドラム４ｄの表面のトナー像は、中間転写ベルト９ｅで積層され、画像データに応じたカラーのトナー像となる。このように積層された各色のトナー像は、中間転写ベルト９ｅとともに搬送され、２次転写装置１０によって用紙上に転写される。
【００６７】
また、２次転写装置１０によって中間転写ベルト９ｅ上のトナー像が用紙上に完全に転写されず、中間転写ベルト９ｅ上にトナーが残留することがあり、この残留トナーが次工程でトナーの混色を発生させる原因となる。このため、中間転写ベルトクリーニング装置９ｉによって残留トナーを除去および回収する。
【００６８】
たとえば、中間転写ベルトクリーニング装置９ｉは、従動ローラ９ｇ側に押圧された状態で中間転写ベルト９ｅに接触するクリーニングブレードを有しており、このクリーニングブレードにより残留トナーが除去および回収される。
【００６９】
定着装置１１は、用紙を挟み込んで搬送するヒートローラ１１ａおよび加圧ローラ１１ｂを有する。ヒートローラ１１ａは、所定の定着温度となるように温度制御され、加圧ローラ１１ｂとともに用紙を熱圧着することにより、用紙に転写されたトナー像を溶融、混合、圧接し、用紙に対して熱定着させる機能を有している。また、定着装置１１には、ヒートローラ１１ａを外部から加熱するための外部加熱ベルト１１ｃが設けられている。
【００７０】
給紙トレイ１２ａは、用紙を格納しておくためのトレイであり、手差し給紙トレイ１２ｂは、用紙が載置されるトレイである。排紙トレイ１３は、中継搬送ユニット１５が取り外されている場合に、印刷済みの用紙をフェイスダウンで載置するためのトレイである。中継搬送ユニット１５は、着脱可能に取り付けられている。中継搬送ユニット１５は、複数の搬送ローラ１５ａを有しており、排紙ローラ１４ｇから排出される用紙を用紙搬送装置５０へ搬送するように構成されている。
【００７１】
シート搬送装置１４は、用紙を給紙トレイ１２ａまたは手差し給紙トレイ１２ｂから２次転写装置１０や定着装置１１を経由させて排紙トレイ１３に送るために設けられている。シート搬送装置１４では、給紙トレイ１２ａからシート搬送路Ｓに沿って、ピックアップローラ１４ａ、サバキローラ１４ｂ、分離ローラ１４ｃ、搬送ローラ１４ｄ、レジスト前ローラ対１４ｅ、レジストローラ対１４ｆ、および排紙ローラ１４ｇが配置されている。
【００７２】
ピックアップローラ１４ａは、給紙トレイ１２ａの近傍に設けられており、給紙トレイ１２ａから用紙を１枚ずつシート搬送路Ｓに供給する呼び込みローラである。サバキローラ１４ｂは、分離ローラ１４ｃとの間に用紙を通過させることにより、用紙を１枚ずつ分離してシート搬送路Ｓへと搬送する。
【００７３】
また、手差し給紙トレイ１２ｂの近傍には、ピックアップローラ１４ｉが設けられている。ピックアップローラ１４ｉは、手差し給紙トレイ１２ｂから用紙を１枚ずつシート搬送路Ｓに供給する呼び込みローラである。
【００７４】
搬送ローラ１４ｄおよびレジスト前ローラ対１４ｅは、用紙の搬送を促進補助するための小型のローラである。なお、図１では、簡略化のために、搬送ローラ１４ｄを１個だけ示したが、実際には、搬送ローラ１４ｄは、シート搬送路Ｓに沿って複数箇所に設けられている。
【００７５】
レジスト前ローラ対１４ｅは、レジストローラ対１４ｆのシート搬送方向上流側の直近に設けられており、用紙をレジストローラ対１４ｆへと搬送する。レジストローラ対１４ｆは、レジスト前ローラ対１４ｅから搬送されてきた用紙を一旦停止させて、用紙の先端を揃え、中間転写ベルト９ｅと転写ローラ１０ａとの間のニップ域で中間転写ベルト９ｅ上のカラーのトナー像が用紙に転写されるように、中間転写ベルト９ｅの回転にあわせて、用紙をタイミングよく搬送する。
【００７６】
たとえば、レジストローラ対１４ｆは、中間転写ベルト９ｅと転写ローラ１０ａとの間のニップ域で中間転写ベルト９ｅ上のカラーのトナ一像の先端が用紙における画像形成範囲の先端に合うように、用紙を搬送する。
【００７７】
トナー像が転写された用紙は、ヒートローラ１１ａおよび加圧ローラ１１ｂにより、トナー像が用紙に定着されながら搬送される。各色のトナー像が定着された用紙は、排紙ローラ１４ｇによって排紙トレイ１３または中継搬送ユニット１５に排出される。中継搬送ユニット１５に排出された用紙は、搬送ローラ１５ａにより用紙搬送装置５０へ搬送される。
【００７８】
なお、４つの画像形成ステーションのうち少なくとも一つを用いて、モノクロ画像を形成し、モノクロ画像を中間転写ベルト装置９の中間転写ベルト９ｅに転写することも可能である。このモノクロ画像も、カラー画像と同様に、中間転写ベルト９ｅから用紙に転写され、用紙上に定着される。
【００７９】
また、用紙の表（オモテ）面だけではなく、両面の画像形成を行う場合は、用紙の表面の画像を定着装置１１により定着した後に、用紙をシート搬送路Ｓの排紙ローラ１４ｇにより搬送する途中で、排紙ローラ１４ｇを停止させてから逆回転させ、搬送ローラ１４ｈにより用紙を表裏反転経路Ｓｒに通して、用紙の表裏を反転させてから、用紙を再びレジストローラ対１４ｆへと導き、用紙の表面と同様に、用紙の裏面にトナー像を転写して定着し、用紙を排紙トレイ１３または中継搬送ユニット１５に排出する。
【００８０】
画像読取装置２は、画像読取部２０と、画像読取部２０に対して開閉可能に取り付けられた原稿送り装置３０とを含んでいる。
【００８１】
画像読取部２０は、原稿固定方式による読み取りと、原稿移動方式による読み取りとを行うことが可能なように構成されている。画像読取部２０は、原稿台ガラス２１と、原稿読取ガラス２２と、光源ユニット２３と、ミラーユニット２４と、撮像部２５とを有する。
【００８２】
原稿台ガラス２１は、原稿の最大サイズよりも大きい透明なガラス板である。原稿読取ガラス２２は、主走査方向（紙面に対する垂直方向）に延びる透明なガラス板である。原稿台ガラス２１および原稿読取ガラス２２は、光源ユニット２３から出射された光を透過するとともに、原稿で反射された光を透過するように構成されている。
【００８３】
光源ユニット２３は、原稿へ向けて光を照射する光源２３ａと、原稿からの反射光をミラーユニット２４へ導くミラー２３ｂとを有する。光源ユニット２３は、副走査方向Ｙ１に移動可能なように構成されている。光源２３ａは、主走査方向において間隔を隔てて配置される複数のＬＥＤ（Light Emitting Diode：発光ダイオード）により構成されている。
【００８４】
ミラーユニット２４は、ミラー２４ａとミラー２４ｂとを有する。ミラーユニット２４は、光源ユニット２３の移動速度の１／２の移動速度で、副走査方向Ｙ１に移動可能なように構成されている。ミラー２４ａは、光源ユニット２３のミラー２３ｂからの反射光をミラー２４ｂへと導くために設けられている。ミラー２４ｂは、ミラー２４ａからの反射光を撮像部２５へと導くために設けられている。
【００８５】
撮像部２５は、集光レンズやＣＣＤ（Charge Coupled Device：電荷結合素子）などを有する。撮像部２５は、ミラーユニット２４のミラー２４ｂからの反射光を、集光レンズを介してＣＣＤの受光面に結像することにより、原稿の画像を撮像するように構成されている。
【００８６】
画像読取部２０では、原稿固定方式による読取時に、光源ユニット２３およびミラーユニット２４を副走査方向Ｙ１に移動させながら、光源２３ａから光が出射される。このとき、光源２３ａから出射される光は、原稿台ガラス２１を介して原稿台ガラス２１上に載置される原稿に照射される。そして、原稿からの反射光は、原稿台ガラス２１、光源ユニット２３のミラー２３ｂ、および、ミラーユニット２４のミラー２４ａおよびミラー２４ｂを介して撮像部２５に入射される。これにより、画像読取部２０は、原稿台ガラス２１上に固定的に配置された原稿の画像を読み取ることが可能である。
【００８７】
また、画像読取部２０では、原稿移動方式による読取時に、光源ユニット２３を読取位置（図２に示す位置）に停止させた状態で、光源２３ａから光が出射される。このとき、光源２３ａから出射される光は、原稿読取ガラス２２を介して、原稿送り装置３０により原稿読取ガラス２２上を搬送方向Ｙ１に搬送される原稿に照射される。そして、原稿からの反射光は、原稿読取ガラス２２、光源ユニット２３のミラー２３ｂ、および、ミラーユニット２４のミラー２４ａおよびミラー２４ｂを介して撮像部２５に入射される。これにより、画像読取部２０は、原稿送り装置３０により原稿読取ガラス２２上を搬送される原稿の画像を読み取ることが可能である。
【００８８】
原稿送り装置３０は、原稿が載置される原稿トレイ３１と、原稿が排出される排紙トレイ３２と、原稿トレイ３１に載置される原稿を排紙トレイ３２へ搬送するための搬送路３３ａと、読取位置を通過した原稿を読取位置よりも上流側へと戻すための搬送路３３ｂとを含んでいる。
【００８９】
原稿トレイ３１には、原稿がフェイスアップで載置されている。原稿トレイ３１の近傍には、ピックアップローラ３４が設けられている。ピックアップローラ３４は、原稿トレイ３１に載置された原稿を上から順に原稿送り装置３０の内部に取り込むために設けられている。
【００９０】
ピックアップローラ３４の近傍には、サバキローラ３５ａおよび分離ローラ３５ｂが設けられている。サバキローラ３５ａおよび分離ローラ３５ｂは、複数の原稿が重なった状態で搬送路３３ａへ搬送されること（重送）を防止するために設けられている。
【００９１】
排紙トレイ３２は、原稿トレイ３１の下方に配置され、原稿がフェイスダウンで排出される。搬送路３３ａは、正面から見てＵ字状に形成されている。搬送路３３ａには、搬送ローラ３６と排出ローラ３７とが設けられている。
【００９２】
原稿送り装置３０では、ピックアップローラ３４により、原稿トレイ３１に載置される原稿が原稿送り装置３０の内部に取り込まれる。そして、取り込まれた原稿がサバキローラ３５ａおよび分離ローラ３５ｂにより分離される。これにより、搬送路３３ａに原稿が１枚ずつ搬送される。そして、搬送ローラ３６により原稿が搬送路３３ａを搬送される。この搬送路３３ａを搬送される原稿が読取位置を通過する際に、画像読取部２０により原稿の表面の画像が読み取られる。
【００９３】
そして、原稿の表面のみが読み取られる場合には、排出ローラ３７により原稿が排紙トレイ３２へ排出される。その一方、原稿の両面が読み取られる場合には、原稿が搬送路３３ｂを介して読取位置の上流側へ搬送される。これにより、画像読取部２０により原稿の裏面の画像が読み取られる。なお、この場合には、両面の画像が読み取られた原稿が再び搬送路３３ｂを介して読取位置の上流側へ搬送される。その後、排出ローラ３７により原稿が排紙トレイ３２へ排出される。これにより、原稿がフェイスダウンで排出される。その結果、原稿トレイ３１に複数の原稿が載置され、複数の原稿が連続的に読み取られて排紙トレイ３２に排出された場合にも、複数の原稿の順番に対する面の向きが反転するのを防止することができる。
【００９４】
画像形成装置１は、通常の画像形成が行われる場合に、画像読取装置２により読み取られた画像を画像形成部３により用紙に形成する。そして、画像が形成された用紙（通常の用紙）が中継搬送ユニット１５を介して用紙搬送装置５０へ供給される。
【００９５】
また、画像形成装置１は、画像形成時の出力の校正が行われる場合に、画像形成部３によりテストパターン４１（図３参照）を用紙に形成する。そして、校正用紙４０（図３参照）が中継搬送ユニット１５を介して用紙搬送装置５０へ供給される。
【００９６】
ここで、校正用紙４０に形成されたテストパターン４１は、階調が段階的に変化するように所定の間隔で形成されたブラック（Ｋ）の画像４１ａと、階調が段階的に変化するように所定の間隔で形成されたシアン（Ｃ）の画像４１ｂと、階調が段階的に変化するように所定の間隔で形成されたマゼンタ（Ｍ）の画像４１ｃと、階調が段階的に変化するように所定の間隔で形成されたイエロー（Ｙ）の画像４１ｄとにより構成されている。なお、画像４１ａ〜画像４１ｄは、たとえば、１辺が２ｍｍの正方形状である。
【００９７】
その後、画像形成装置１では、用紙搬送装置５０から受信した読取結果に基づいて、画像形成時の出力の校正（画質調整）が行われる。なお、画質調整とは、印刷画質濃度の変化や色調の変化と言った出力画像の画質変化等を調整することをいう。具体的には、画像調整とは、画像形成装置１の指令値に対して、用紙に実際に形成された画像（出力）が異なっている場合に、所望の画像が得られるように指令値を補正することをいう。たとえば、画像形成装置１が所定の階調の画像を形成しようとした際に、所定の階調よりも濃い画像が形成された場合には、その後、画像形成装置１は、所定の階調の画像を形成しようとする際に、出力を小さくすることにより、所定の階調の画像が形成されるようにする。
【００９８】
図４は、図１に示した画像形成システムの用紙搬送装置を示した斜視図である。図５は、図４に示した用紙搬送装置を示した側面図である。図６は、図４に示した用紙搬送装置を示した断面図である。図４〜図６を参照して、用紙搬送装置５０の構造について説明する。なお、図４〜図６では、見やすさを考慮して搬送路５１に設けられる搬送ローラ５８ａおよび搬送ローラ５８ｂ（図１参照）の記載を省略した。
【００９９】
搬送路５１（図６参照）は、搬送方向（水平方向）Ｙ２に延びるように形成されている。また、搬送路５１は、筐体５７の一方の面から他方の面まで設けられている。搬送路５２（図６参照）は、搬送路５１から分岐して、搬送路５１に対して直交する方向（垂直方向）Ｚに延びるように形成されている。すなわち、搬送路５２は、搬送路５１に対して略直交している。また、搬送路５２は、ゲート部材５３の近傍からスタッカ５６まで設けられている。これにより、画像形成装置１（図１参照）から供給される校正用紙４０（図３参照）を搬送路５１を介して搬送路５２へ搬送することができる。
【０１００】
ゲート部材５３は、揺動可能に構成されており、搬送路５１を搬送方向Ｙ２に搬送される用紙の搬送方向を切り替えるために設けられている。具体的には、ゲート部材５３は、画像形成装置１から通常の用紙が供給された場合に、通常の用紙が搬送路５１を通って用紙搬送装置７０（図１参照）へ供給されるように搬送路５１から退避し、画像形成装置１から校正用紙４０が供給された場合に、校正用紙４０を搬送路５２へ導くように搬送路５１に突出するように構成されている。これにより、画像形成装置１から供給される校正用紙４０を容易に搬送路５２へ搬送することができる。
【０１０１】
デカーラー５４は、ゲート部材５３と読取装置５５との間に配置されている。デカーラー５４は、搬送路５２を搬送される校正用紙４０のカールを矯正する機能を有する。また、デカーラー５４は、たとえば、ステンレスなどの金属製のシャフト５４ａと、シャフト５４ａに対向配置されるシリコンスポンジ製のローラ５４ｂとを有する。シャフト５４ａは８ｍｍの直径を有し、ローラ５４ｂは２５ｍｍの直径を有する。デカーラー５４は、シャフト５４ａおよびローラ５４ｂが互いに押圧された状態で、シャフト５４ａおよびローラ５４ｂの間を校正用紙４０が通されることにより、校正用紙４０のカールを矯正するように構成されている。これにより、カールが矯正された校正用紙４０が読取装置５５に供給されるので、読取装置５５の読取精度が低下するのを抑制することができる。
【０１０２】
読取装置５５は、校正用紙４０を読み取る読取部５５ａと、読取部５５ａを搬送方向Ｚと直交する方向Ｘに沿って移動させるベルト５５ｂと、ベルト５５ｂが架けられた一対のプーリ５５ｃとを有する。読取部５５ａは、たとえば、測色器であり、校正用紙４０に形成されたテストパターン４１を読み取るように構成されている。なお、読取部５５ａによる読取結果（測色結果）は、たとえば、Ｌ*ａ*ｂ*色空間での座標値である。ベルト５５ｂは、方向Ｘにおいて対向配置される一対のプーリ５５ｃに架けられている。プーリ５５ｃは、筐体５７の一方の面に設けられたシャーシ５５ｄに取り付けられている。これにより、直線状ではなく平面的にテストパターン４１が形成されている場合にも、読取部５５ａにより校正用紙４０のテストパターン４１を読み取ることができる。
【０１０３】
また、筐体５７の一方の面と対向する他方の面には、一対の側板５５ｅが設けられている。一対の側板５５ｅの間には、搬送ローラ５５ｆが設けられている。搬送ローラ５５ｆは、搬送路５２において読取部５５ａによる読取位置の上方および下方の近傍に設けられている。これにより、搬送路５２を搬送される校正用紙４０が読み取られる際に、校正用紙４０の位置を固定しやすくすることができる。なお、実施の形態１における搬送ローラ５５ｆは、本発明の「第２搬送ローラ」に対応する。
【０１０４】
スタッカ５６は、読取装置５５の下方に配置され、筐体５７の下端部に設けられている。スタッカ５６は、上面が開口した箱体である。スタッカ５６は、搬送路５１から分岐した搬送路５２の端部に設けられている。これにより、利用者にとって不要な校正用紙４０が排紙トレイ８１（図１参照）に排出されるのを防止することができる。
【０１０５】
また、スタッカ５６は、筐体５７に対して脱着可能に構成されている。筐体５７の前面には、スタッカ５６と対応する領域に開閉可能な扉（図示省略）が設けられている。これにより、スタッカ５６に収納された校正用紙４０を廃棄することが容易にできる。
【０１０６】
図７は、図４に示した用紙搬送装置を示したブロック図である。図７を参照して、用紙搬送装置５０の構造について説明する。
【０１０７】
用紙搬送装置５０は、搬送路５１に設けられた搬送ローラ５８ａおよび搬送ローラ５８ｂを駆動するモータ５９と、搬送路５２に設けられた搬送ローラ５５ｆを駆動するモータ６０と、ゲート部材５３を揺動させるアクチュエータ６１と、プーリ５５ｃを駆動するモータ６２と、スタッカ５６に収納された校正用紙４０の量を検出するセンサ６３と、読取部５５ａの読取結果を画像形成装置１に送信する通信部６４と、用紙搬送装置５０の動作を制御する制御部６５とを有する。なお、実施の形態１において、モータ５９は本発明の「第１駆動部」に対応し、モータ６０は本発明の「第２駆動部」に対応し、通信部６４は本発明の「送信部」に対応する。
【０１０８】
モータ５９は、たとえば、搬送路５１を通常の用紙が９００ｍｍ／ｓｅｃの速度で搬送されるように搬送ローラ５８ａおよび搬送ローラ５８ｂを駆動するように構成されている。モータ６０は、たとえば、搬送路５２を校正用紙４０が１００ｍｍ／ｓｅｃの速度で搬送されるように搬送ローラ５５ｆを駆動するように構成されている。すなわち、搬送路５２を搬送される校正用紙４０の搬送速度は、搬送路５１を搬送される通常の用紙の搬送速度よりも遅い。したがって、読取部５５ａにより読み取りが行われる読取位置への搬送をしやすくすることができる。
【０１０９】
また、搬送ローラ５８ａおよび搬送ローラ５８ｂを駆動するモータ５９と、搬送ローラ５５ｆを駆動するモータ６０とを別個に設けることにより、搬送ローラ５５ｆにより搬送路５２を搬送される校正用紙４０の搬送速度を、搬送ローラ５８ａおよび搬送ローラ５８ｂにより搬送路５１を搬送される通常の用紙の搬送速度よりも遅くすることが容易にできる。
【０１１０】
また、モータ６０は、読取部５５ａによる読取位置を通過する校正用紙４０を間欠搬送するように搬送ローラ５５ｆを駆動するように構成されている。すなわち、校正用紙４０が搬送方向Ｚへの移動と停止とを繰り返し行う。そして、校正用紙４０が搬送方向Ｚに対して停止しているときに、モータ６２が読取部５５ａを方向Ｘに所定の間隔ずつ移動させる。これにより、読取部５５ａによる校正用紙４０の読み取りは、読取部５５ａに対して校正用紙４０が停止した状態で行われる。
【０１１１】
制御部６５は、ＣＰＵ（Central Processing Unit）、ＲＯＭ（Read Only Memory）、およびＲＡＭ（Random Access Memory）などを有する。制御部６５は、読取部５５ａにより校正用紙４０の読み取りが行われた場合に、通信部６４から読取結果を画像形成装置１に送信するように構成されている。これにより、読取結果を画像形成装置１に容易に伝えることができる。
【０１１２】
また、制御部６５は、センサ６３の検出結果が予め設定された値以上になったと判断した場合には、通信部６４から校正用紙４０の廃棄を要求する廃棄通知を画像形成装置１に送信するように構成されている。そして、画像形成装置１では、廃棄通知を受信した場合に、スタッカ５６に収納された校正用紙４０の廃棄を利用者に促すメッセージが表示部（図示省略）に表示される。
【０１１３】
実施の形態１では、上記のように、画像形成装置１から供給される通常の用紙が排紙トレイ８１へ搬送される搬送路５１と、画像形成装置１から供給される校正用紙４０が搬送される搬送路５２とを設け、校正用紙４０を読み取る読取部５５ａを搬送路５２に設ける。
【０１１４】
このように構成することによって、搬送路５２に設けられた読取部５５ａにより校正用紙４０を読み取りながら、搬送路５１において画像形成装置１から供給される通常の用紙を排紙トレイ８１へ搬送することができる。すなわち、校正用紙４０の読み取りと通常の用紙の搬送とを並行して行うことができるので、読取部５５ａを搬送路５１に設ける場合と異なり、校正用紙４０の読み取りに起因して通常の用紙の搬送速度が低下するのを防止することができる。また、搬送路５２には、校正用紙４０のみが搬送され、通常の用紙が搬送されないことから、搬送路５２を搬送される用紙の量を少なくすることができるので、読取部５５ａの周囲において用紙の搬送に起因する紙粉が発生するのを抑制することができ、読取部５５ａの周囲の温度が上昇するのを抑制することができる。これにより、読取部５５ａによる読取精度が低下するのを抑制することができる。
【０１１５】
＜実施の形態２＞
図８は、本発明の実施の形態２に係る用紙搬送装置を備える画像形成システムの概略を示した正面図である。図８を参照して、実施の形態２に係る画像形成システム２００の構成について説明する。なお、以下では、実施の形態１に係る画像形成システム１００と同一部分には同一符号を付して重複する説明を省略する。
【０１１６】
画像形成システム２００は、画像形成装置１と、用紙搬送装置２５０と、排紙ユニット８０とを備えている。
【０１１７】
用紙搬送装置２５０は、搬送路５１に設けられたデカーラー２５１を含んでいる。なお、用紙搬送装置２５０のその他の構成は、上記した用紙搬送装置５０と同様である。また、実施の形態２におけるデカーラー２５１は、本発明の「第２カール矯正部」に対応する。
【０１１８】
デカーラー２５１は、ゲート部材５３と排紙ユニット８０との間に配置されている。デカーラー２５１は、搬送路５１を搬送される通常の用紙のカールを矯正する機能を有する。これにより、通常の用紙のカール矯正用のユニットである用紙搬送装置７０（図１参照）が設けられていない場合にも、カールが矯正された通常の用紙を排紙トレイ８１に排出することができる。なお、デカーラー２５１のその他の構成は、上記したデカーラー５４と同様である。
【０１１９】
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【０１２０】
たとえば、実施の形態１では、単色の画像４１ａ〜画像４１ｄによりテストパターン４１が構成される例を示したが、これに限らず、２色以上の混合色がテストパターンに含まれていてもよい。
【０１２１】
また、実施の形態１では、テストパターン４１として正方形状の画像４１ａ〜画像４１ｄが所定の間隔を隔てて配置される例を示したが、これに限らず、テストパターンのレイアウトはどのようなものであってもよい。
【０１２２】
また、実施の形態１では、搬送路５１に設けられた搬送ローラ５８ａおよび搬送ローラ５８ｂを駆動するモータ５９と、搬送路５２に設けられた搬送ローラ５５ｆを駆動するモータ６０とを別個に設ける例を示したが、これに限らず、搬送路５１に設けられた搬送ローラ５８ａおよび搬送ローラ５８ｂと、搬送路５２に設けられた搬送ローラ５５ｆとを駆動するモータが１個だけ設けられていてもよい。
【０１２３】
また、実施の形態１では、搬送路５２に沿って１個のデカーラー５４が設けられる例を示したが、これに限らず、デカーラー５４が搬送路５２に複数設けられていてもよいし、デカーラー５４が設けられていなくてもよい。
【０１２４】
また、実施の形態１において、ＰＡＮＴＯＮＥなどの色見本を読取部５５ａにより読み取り、画像形成装置１が読み取られた色見本を再現できるようにしてもよい。
【０１２５】
また、実施の形態１において、用紙搬送装置５０の底面に、用紙搬送装置５０を移動させるためのキャスター（図示省略）が設けられていてもよい。なお、画像形成装置１、用紙搬送装置７０、および排紙ユニット８０についても同様である。
【符号の説明】
【０１２６】
１              画像形成装置
４０            校正用紙
４１            テストパターン
５０、２５０    用紙搬送装置
５１            搬送路（第１搬送路）
５２            搬送路（第２搬送路）
５３            ゲート部材
５４            デカーラー（第１カール矯正部）
５５ａ          読取部
５５ｆ          搬送ローラ（第２搬送ローラ）
５６            スタッカ
５７            筐体
５８ａ、５８ｂ  搬送ローラ（第１搬送ローラ）
５９            モータ（第１駆動部）
６０            モータ（第２駆動部）
６４            通信部（送信部）
８１            排紙トレイ
１００、２００  画像形成システム
２５１          デカーラー（第２カール矯正部）
【図１】
2012198367.tif 000003
【図２】
2012198367.tif 000004
【図３】
2012198367.tif 000005
【図４】
2012198367.tif 000006
【図５】
2012198367.tif 000007
【図６】
2012198367.tif 000008
【図７】
2012198367.tif 000009
【図８】
2012198367.tif 000010